(57)【要約】【課題】各種歯ブラシ製造においてブラシ先端部の加工は重要であり、口腔内を傷つける心配のないもので且、各部位の清掃が正確に行なえるものでなければならない。それに加え、大量の歯ブラシの先端部加工が必要であることから短時間で完了することが条件となる。また、その加工に新しい技術を導入し、口腔内を一本の歯ブラシで正確に清掃できる商品の開発を課題とした。【解決手段】後加工により各種歯ブラシのブラシ毛先端部を異形に加工し且、その内部及び表面層にカルシウム（炭酸カルシウム、リン酸カルシウム、焼成カルシウム）を含浸させることを課題として、前記ブラシの林立した先端部に、溶解結合防止の目的から前記、カルシウム類を投入し、該ブラシのブラシ毛先端を異形に加工する。この技術により前記した後加工により、カルシウム類を含浸した異形をブラシ毛先端部に有する歯ブラシが容易に完成する。【選択図】図１
2020192302.tif 000002
【特許請求の範囲】
【請求項１】
片手で握り往復移動することにより、口腔内清掃を行う歯ブラシであって、  該林立するブラシ毛先端部の形状が球形であり、前記ブラシ毛先端部に位置する球形内部及び、表面層にブラシ毛先端部の溶解結合防止目的のために使用される粉体が、含浸していることを特徴とする歯ブラシ。
【請求項２】
請求項１の歯ブラシであって、該ブラシ毛先端部の形状が、該付け根直径より大きい円錐形、砲弾形、小判形であることを特徴とする歯ブラシ。
【請求項３】
請求項１又は２の歯ブラシであって、ブラシ毛先端部の溶解結合防止目的のために各種カルシウムの粉体を使用し、該粉体が含浸していることを特徴とする歯ブラシ。
【請求項４】
請求項１乃至３のいずれか一項に記載の歯ブラシであって、該歯ブラシ植毛台厚さ及び、溶着台厚さが５ｍｍ以下であることを特徴とする歯ブラシ。
【請求項５】
請求項１乃至３のいずれか一項に記載の歯ブラシであって、該歯ブラシが３６０°型溶着歯ブラシであることを特徴とする歯ブラシ。
【請求項６】
片手で握り往復移動することにより、口腔内清掃を行う歯ブラシであって、  該林立するブラシ毛先端部の形状が球形に溶解成形される工程の際、該林立する前記ブラシ毛先端部の溶解結合防止目的のための粉体付着工程と、該粉体余剰量を取り除く工程と、該ブラシ毛先端部の形状を球形等に溶解成形する工程と、同時に溶解成形されたブラシ毛先端部に前記投入した粉体が含浸していることを特徴とする前記歯ブラシの製造方法。
【発明の詳細な説明】
【技術分野】
【０００１】本願発明は、ブラシ毛先端部が球形状であり、該内部及び、表面層にカルシウムが含浸する歯ブラシと、該製造方法に関する。
【背景技術】
【０００２】現在、市販される植毛歯ブラシにおいて、該歯ブラシのブラシ毛先端部が球形の商品は、３０年以上前に販売され「大ヒット」となった。しかし、製造工程が複雑なことなどの諸事情により１０年ほど前に製造中止となっている。そして、該文献を下記に示した。【０００３】
【特許文献１】実用新案登録１８１０５９５号公報（昭和５９年１２月５日出願）。
【特許文献２】実用新案登録２５４５２３８号公報（平成２年８月１３日出願）。
【特許文献３】特許登録２９４２１９１号公報（平成８年５月１４日出願）。
【特許文献４】特許登録３５２３９２５号公報（平成６年１２月１８日出願）。
【０００４】前記した特許文献において、ブラシ毛先端部が球形に加工された歯ブラシに関する文献が［特許文献１］であり、テーパー毛先端部が球形に加工された歯ブラシに関する文献が［特許文献２］である。次に、［特許文献３］は、中央部付近に段差を設けた歯ブラシ植毛台に、片テーパー毛、両テーパー毛の片方先端部を球形に加工した後、テーパー部を上面として好適な段差を設け植毛した歯ブラシに関する文献である。そして、［特許文献４］は、テーパー毛先端部に小型の扁平部を形成したブラシ毛束を植毛した歯ブラシである。【０００５】次に、植毛台の厚さに関しても以前の５ｍｍ前後から、植毛技術の進歩、専用機の性能アップ、樹脂の物性上昇から２〜３ｍｍの厚さが可能となり、該商品が市販されるようになってきた。そして、該文献を下記に示したが本権利は既に消滅している。【０００６】
【特許文献５】特許登録３０８３６５５号公報（平成４年８月１１日出願）。
【特許文献６】特許登録３４５３０２８号公報（平成８年７月２９日出願）。
【特許文献７】特開２００３−０１９０２９号公報（平成１３年７月６日出願）。
【０００７】前記した特許文献は全て、口腔内清掃における機能性向上を目的とした歯ブラシ植毛台厚さに関連した文献であり、［特許文献５］は植毛台の厚さを５ｍｍ以下としたもので、［特許文献６］は植毛台の厚さを１〜３ｍｍの範囲に、［特許文献７］は表現方法は難しいものの、ブラシ丈を市販品平均の１０ｍｍと仮定した場合、植毛台厚さは計算から約２、８〜４ｍｍの範囲となり、上記した二文献と内容はほぼ同じてある。【０００８】最後に、口腔内歯周ポケットの清掃に関する特許文献を下記に示した。【０００９】
【特許文献８】特許登録５４６５９８５号公報（平成２１年１１月１７日出願）
【００１０】前記した文献の歯ブラシは、以前から使用されてきたテーパー毛では歯周ポケットに挿入し易い反面、歯垢掻き出し能力は低いことから、テーパー毛先端部を微細カットし、先端部から３０μｍ付近で４０°位折り曲げた糸束をランダムに１０〜８０％の範囲で植毛台に植毛した歯ブラシである。
【発明者が解決しょうとする課題】
【００１１】今迄は、口腔内清掃をする際、多種類のブラシ（清掃具）を使用する必要があった。たとえば、歯周ポケット、歯間表層部（歯間奥または結合部には、フロス、歯間ブラシが必要）には、該部分に挿入し易いテーパー毛歯ブラシが必要であり、好適には歯垢掻き出し能力にも優れた歯ブラシが必要である。また、歯面清掃、歯肉、口腔内面の清掃及び、マッサージには当り面積が大きく、ブラッシング力がより掛るブラシ毛先端部形状が球形のものが好適である。
【００１２】また、口臭の原因とされる舌苔の清掃には、舌表面がデリケートであるため歯ブラシのブラシ毛先端粗度が高く滑らかなものが好適といえる。本願発明者は、これら各種の清掃を一本の歯ブラシで完了する歯ブラシの製造を第一の課題とした。
【００１３】第二の課題は、ブラシ毛先端の加工を前加工（予め、ブラシ毛先端に球形、異形を製造し、それを集め専用機によって植毛）から、機械設備費、人件費削減が容易な後加工（歯ブラシ植毛後、最終一工程にてブラシ毛先端加工）にて実施することを目指した。
【課題を解決するための手段】
【００１４】予め、歯ブラシ植毛台に植毛が完了したブラシ毛先端部または、ランダムカットされた同部に、林立するブラシ毛先端部に互いの溶解結合防止目的のため、溶解温度が前記歯ブラシのブラシ毛溶解温度より高い粉体を塗布し、余剰量を取り除いた後、該ブラシ部に好適な温度（ナイロン６１０、６１２、飽和ポリエステルの場合、軟化、溶解初期に必要な１９０〜２２０℃位）をもって溶解し、歯ブラシのブラシ毛先端部を球形、円錐形、砲弾形、小判形などの異形に加工する。
【００１５】また、林立するブラシ毛先端部の互いの溶解結合防止目的のため塗布する粉体を、生体由来の歯、骨の主成分であり且、歯磨剤の主成分でもあるところのカルシウム（炭酸カルシウム、リン酸カルシウム、焼成カルシウム）にすることで、ブラシ毛先端加工部に含浸したカルシウムの効果も期待できる。
【発明の効果】
【００１６】上気した製造方法において、歯ブラシのブラシ毛先端部を球形、円錐形、砲弾形、小判形などの異形に加工することが、一工程で可能となり且、後工程による実施が可能となる。それに加えて、前記したようにカルシウム（炭酸カルシウム、リン酸カルシウム、焼成カルシウム）を林立するブラシ毛先端部の互いの溶解結合防止目的のため塗布した場合、前記したブラシ毛先端加工部に該成分が含浸し、歯ブラシを使用する度に、少量づつではあるが口腔内に溶け出ることとなる。これらの成分は、アルカリ性のため飲食後に使用することで、酸性化した口腔内を短時間で正常な中性（ＰＨ７）に戻す効果も十分期待できる。
【発明を実施するための最良の形態】
【００１７】以下、本願発明を実施するための最良の形態を図をもって説明する。【００１８】図１は、本願発明のブラシ毛先端が球形である歯ブラシの全体形状を示す正面図と、歯ブラシ毛先端形状を拡大したイメージ図である。【００１９】このブラシ毛先端形状（毛先が球形）の歯ブラシは、約３０年前に「大ヒット」した歯ブラシのブラシ毛先端形状と同形であるが、該製造方法は異なり下記において詳細に説明する。【００２０】今迄の、当業界におけるブラシ毛先端部の加工はペーパーを使用して「ダラス（丸める）」方法以外は全て、図５で示すように「前加工によりブラシ毛先端部を加工」する方法であった。本願発明は前記した前加工の内より、ブラシ毛先端部の加工を「熱を利用して実施するもの」に限って「後加工」を実施する。【００２１】最初に、歯ブラシハンドル２の片側先端部に設けた植毛台２Ａ平面に開けられた小孔（穴径１、５ｍｍ位、深さ３、５ｍｍ以下）に、図１に示したブラシ毛１（ストレート毛）、図２に示した片テーパー毛３（テーパー部５を逆端面ストレート部より、１〜３ｍｍ位長く縮毛するが通常）、図３に示した両テーパー毛４（均等植毛が通常）を、図５で示すように、ブラシ毛束１Ｂ中央付近より点線で示すように二ッ折りにして前記、植毛台２Ａ平面に開けられた小孔に平線６を打ち込むことにより植毛される（穴径、ブラシ毛径によって異なるが一穴に１４〜２４本位のブラシ毛１を使用）。次に、植毛台２Ａに植毛されたブラシ毛束１Ｂ（ストレート毛）に限って、粗カットする（テーパー毛先端をカットすればテーパー毛の意味がない）。そして、図６に示す方法で「後加工」によりブラシ毛１先端を図４の各種形状に加工した。【００２２】そして、該実施方法は、歯ブラシハンドル２の片方先端部に位置する植毛台２Ａに植毛されたブラシ毛１に、粉体供給装置８により粉体８Ａ（媒体）を塗布し過剰分を取り除いた後、熱源７をブラシ毛束１Ｂに接近させ該熱により、ブラシ毛先端部を図４に示した各形状、円錐形５Ａ、砲弾形５Ｂ、小判形５Ｃ、球形（小）５Ｄ、球形（大）１Ａの各形状（異形）に後加工する。【００２３】前記したように、ブラシ毛１の先端加工形状が異なる実験結果を下記（表１）に示した。
【表１】
2020192302.tif 000003
【００２４】表１から分かるように、ストレート毛の大半がナイロン（ＰＡ）６１０、６１２（家庭用）で、テーパー毛の大半が飽和ポリエステル（ＰＥＴ）、ポリブチルテレフタレート（ＰＢＴ）である。その理由は、ナイロンは価格が高く（ナイロン６は安価で使い捨て歯ブラシ用）吸水率も高い反面、柔らかく口当りがソフトに対し、飽和ポリエステル、ポリブチルテレフタレートは、安価、吸水率が低い、腰があると好条件ながら、素材自体が硬く口当りが悪いという一つの欠点を補う目的から、昭和５５年に開発された技術（実用新案登録１６５８８９０号公報）により、テーパ形状（加水分解剤を用いて浸漬処理）に加工することで解決した。【００２５】また、本願発明に関する実験から、ナイロン物性であるストレート毛の場合は、図４で示す球形１Ａ形状となり、飽和ポリエステル、ポリブチルテレフタレート、物性であるテーパー毛の場合は、図４で示す５Ａ〜５Ｄの先端形状となる。そして、この先端形状の違い、または大きさの違いはテーパー毛先端５の溶解量によって決定される傾向が強く、熱源７とブラシ毛束１Ｂの間隔が重要となる。そして、一般的な形状であるテーパー毛５Ｂ、ストレート毛１Ａに加工するためには熱源７の温度を４００℃位とし、熱源７とブラシ毛１（テーパー毛も同じ）の間隔を２ｍｍとする。加えて熱源７の移動速度は毎分１５０〜２００ｍｍ位とすることが好適である（当然、この各条件を変えることで、ブラシ毛１先端形状の大きさを変えることが可能である）。【００２６】そして、本願発明で最重要点は、林立するブラシ毛１先端が熱源７からの放出熱により溶解し、隣り合ったブラシ毛１が溶解結合することを防ぐ粉体（媒体）で、４００℃以上の温度においても溶解せず微細粒度を有する粉体８Ａが必要で、好適には、生体由来の歯、骨の主成分でもあり歯磨剤の主成分でもあるカルシウム類が好適といえる。そして、この粉体（媒体）がバリアーとなってブラシ毛１の溶解結合は防止される。【００２７】それに加え、前記したカルシウム類（粉体）を媒体として使用した場合、ブラシ毛１先端加工部に該カルシウム類が溶解と同時に含浸することとなり、歯ブラシを使用する度に少量づつ口腔内に溶出するため、口腔内をアルカリ性に保つ効果もある。また、歯ブラシ先端に位置する植毛台２Ａの植毛台厚さ２Ｂを５ｍｍ以下と薄くすることで、口腔内における機能性（歯ブラシの使い易さ）も大きく改善される。【００２８】そして、図７においてナイロン６１０の先端を球形に加工した３６０°型歯ブラシ、図８においては飽和ポリエステル（片テーパー糸）毛の先端を円錐形に「双方共後加工した」商品の２０倍拡大写真であり、前記した３６０°型歯ブラシは「カット無し」商品でブラシ毛先端部に「バラツキ」があるため、ブラシ毛先端球形の割合は植毛ブラシ毛の５０〜８０％位であり且、その大きさにも多少の「バラツキ」があるが、熱を使用する「後加工」のため全てのブラシ毛先端が熱効果により滑らかな粗度になっていることで、口当りが滑らかである。図８に示した歯ブラシは、片テーパー毛３を段差植毛した後、テーパー毛先端のみ円錐形５Ｂに熱加工により処理したもので、多少のブラシ毛３の「バラツキ」があるため、該ブラ��毛先端形状は５Ａから５Ｃの範囲の形状となる、それに加え、片テーパー毛３をストレート部を上面として逆植毛した後、該片テーパー毛３の植毛による丈の差を利用して、３〜４種類までのブラシ毛先端を同時に製造する「４段植毛」も可能である。このように「後加工」でブラシ毛先端を製造することで容易に該加工が実施できる。
【図面の簡単な説明】
【００３２】
【図１】本願発明の毛先が球形歯ブラシの形状を示す正面図と、ブラシ毛先端を拡大したイメージ図。
【図２】片テーパー毛の形状を示す正面図。
【図３】両テーパー毛の形状を示す正面図。
【図４】本願発明におけるテーパ部先端の各種形状と、ブラシ毛先端の形状を示すイメージ図。
【図５】前加工における歯ブラシ植毛方法の手順を示したイメージ図。
【図６】本願発明のブラシ毛の先端加工工程（後加工）を示すイメージ図。
【図７】本願発明を実施して加工した、ブラシ毛の先端が球形歯ブラシの拡大写真（×２０倍で撮影した３６０°型溶着歯ブラシ）。
【図８】本願発明を実施して加工した、ブラシ毛の先端が円錐形歯ブラシの拡大写真（×２０倍で撮影した植毛歯ブラシ）。
【符合の説明】
【００３３】１、  ブラシ毛、
１Ａ、球形、
１Ｂ、ブラシ毛束、
２、  歯ブラシハンドル、
２Ａ、植毛台、
２Ｂ、植毛台厚さ、、
３、  片テーパー毛、
４、  両テーパー毛、
５、  テーパ部、
５Ａ、円錐形（小）、
５Ｂ、円錐形、
５Ｃ、小判形、
５Ｄ、逆円錐形、
６、  平線、
７、  熱源、
８、  粉体供給装置、
８Ａ、粉体、
【図１】
2020192302.tif 000004
【図２】
2020192302.tif 000005
【図３】
2020192302.tif 000006
【図４】
2020192302.tif 000007
【図５】
2020192302.tif 000008
【図６】
2020192302.tif 000009
【図７】
2020192302.tif 000010
【図８】
2020192302.tif 000011
【手続補正書】
【提出日】令和1年12月9日(2019.12.9)
【手続補正１】
【補正対象書類名】特許請求の範囲
【補正対象項目名】全文
【補正方法】変更
【補正の内容】
【特許請求の範囲】
【請求項１】
片手で握り往復移動することにより、口腔内清掃を行なう歯ブラシであって、林立するブラシ毛先端部の溶解成形時に発生する、該相互溶解給合防止目的のために各種カルシウムの粉体を使用し、該粉体がブラシ毛先端の溶解成形部を中心に含浸していることを特徴とする歯ブラシ。
【請求項２】
片手で握り往復移動することにより、口腔内清掃を行なう請求項１に記載の歯ブラシであって、該ブラシ毛先端部分に位置する加工異形部の形状が、該付け根直径より大きい円錐形、砲弾形、小判形であることを特徴とする前記歯ブラシ。
【請求項３】
片手で握り往復移動することにより、口腔内清掃を行なう請求項１に記載の歯ブラシであって、該歯ブラシ植毛台の厚さ及び、溶着成形台の厚さが５ｍｍ以下であることを特徴とする前記歯ブラシ。
【請求項４】
片手で握り往復移動することにより、口腔内清掃を行なう請求項１に記載の歯ブラシであって、該歯ブラシ形状が３６０°全放射方向にブラシ部を設けた溶着歯ブラシであることを特徴とする前記歯ブラシ。
【請求項５】
片手で握り往復移動することにより、口腔内清掃を行なう請求項１に記載の歯ブラシであって、該林立するブラシ毛先端部の形状が異形に溶解成形される工程の際、該林立する前記ブラシ毛先端部の溶解結合防止目的のための粉体付着工程と、該粉体余剰量を取り除く工程と、該ブラシ毛先端部の形状を異形に溶解成形する工程と、同時に溶解成形されたブラシ毛先端部に前記投入した粉体が含浸していることを特徴とする前記歯ブラシの製造方法。
【手続補正書】
【提出日】令和2年2月28日(2020.2.28)
【手続補正１】
【補正対象書類名】特許請求の範囲
【補正対象項目名】全文
【補正方法】変更
【補正の内容】
【特許請求の範囲】
【請求項１】
多目的の口腔内清掃を実施する歯ブラシの製造方法であって、前記した歯ブラシ植毛後、該林立する糸束に粉体を塗布した後、該林立する糸束に予め、加熱した熱板を接近させ、該糸束先端を熱溶解により異形に加工することを特徴とする歯ブラシの製造方法。
【請求項２】
請求項１の歯ブラシの製造方法であって、前記した歯ブラシ植毛後、該林立する糸束先端の熱溶解に共なう相互溶解結合防止目的で塗布される粉体が、前記植毛部に植毛された糸束溶解温度より、溶解温度が高温であることを特徴とする歯ブラシの製造方法。
【請求項３】
請求項１の歯ブラシの製造方法であって、前記した歯ブラシ植毛後、該林立する糸束先端の熱溶解に共なう相互溶解結合防止目的で塗布される粉体が、該加工熱により溶解した糸束素材先端部を中心に、含浸溶着することを特徴とする歯ブラシの製造方法。
【請求項４】
請求項１の歯ブラシの製造方法であって、ブラシ毛が全方向に放射状に広がる３６０°型歯ブラシのブラシ毛に、熱溶解に共なう相互溶解結合防止目的で、該全周に粉体を塗布した後、予め、加熱した熱板を接近させ、該ブラシ部を回転させることにより、ブラシ毛先端全周を異形に加工することを特徴とする３６０°型歯ブラシの製造方法。
【手続補正書】
【提出日】令和2年6月22日(2020.6.22)
【手続補正１】
【補正対象書類名】特許請求の範囲
【補正対象項目名】全文
【補正方法】変更
【補正の内容】
【特許請求の範囲】
【請求項１】
片手で握り往復移動することにより、口腔内清掃を行う歯ブラシであって、該林立するテーパーブラシ毛先端部の形状を、異形に溶解成形する際、該林立する前記テーパーブラシ毛先端部の溶解結合防止目的の為の粉体付着工程と、予め、適温に加熱した熱板を、前記テーパーブラシ毛先端部に接近させ、該放射熱をもって、前記テーパーブラシ毛先端粉体付着部のみを異形に溶解成形する工程からなることを特徴とする歯ブラシの製造方法。
【請求項２】
請求項１に記載の歯ブラシであって、該ブラシ毛先端部が円柱形状であるストレート毛の角を、ペーパー等をもって取り除くか、半球又は、テーパー形状に加工した後、前記製造方法を実施することを特徴とする歯ブラシの製造方法。
【請求項３】
請求項１又は２のいずれか一項に記載の歯ブラシであって、該林立するブラシ毛先端部の溶解結合防止目的の為に塗布され付着する粉体が、前記したブラシ毛溶解温度より、該溶解温度が高温であり、食品判別方法によりアルカリ物質であることを特徴とする歯ブラシの製造方法。
【請求項４】
請求項１乃至３のいずれか一項に記載の歯ブラシであって、該ブラシ毛先端部が全方向に放射状に広がる３６０°型歯ブラシにおいて、該ブラシ毛先端部の溶解結合防止目的の為の粉体付着工程と、予め、適温に加熱した熱板を、前記ブラシ毛先端部に接近さる工程と、該ブラシ部を回転させる工程により、ブラシ毛先端全周を異形に加工することを特徴とする３６０°型歯ブラシの製造方法。